(57)【特許請求の範囲】
【請求項１】
対向する一対の基板と、
前記一対の基板間に設けられた壁面構造体と、
前記壁面構造体に側面が囲まれた複数のセグメントと、
前記壁面構造体に側面が囲まれ、前記セグメント間を接続し、コーナー部を有する液晶注入経路と、
を有し、
前記複数のセグメントの少なくとも一つ以上は、前記液晶注入経路が１つのみ接続されていることを特徴とする液晶表示素子。
【請求項２】
対向する一対の基板と、
前記一対の基板間に設けられた壁面構造体と、
前記壁面構造体に側面が囲まれた複数のセグメントと、
前記セグメントの夫々に接続され、前記壁面構造体に側面が囲まれた液晶注入経路と、
を有し、
前記液晶注入経路は、第１の液晶注入経路と、前記第１の液晶注入経路から枝分かれした、コーナー部を有する複数の第２の液晶注入経路とを備え、
前記セグメントの夫々が、前記複数の第２の液晶注入経路のいずれか１つのみに接続されていることを特徴とする液晶表示素子。
【請求項３】
請求項１又は２に記載の液晶表示素子であって、
前記セグメント内部に前記一対の基板を保持する支柱が設けられていることを特徴とする。
【請求項４】
請求項３記載の液晶表示素子であって、
前記支柱は、前記壁面構造体と同じ材料であることを特徴とする。
【請求項５】
請求項３記載の液晶表示素子であって、
前記支柱は、水平断面が十字形状の立体であることを特徴とする。
【請求項６】
請求項５記載の液晶表示素子であって、
水平断面が十字形状の前記支柱は、前記セグメント内に閉領域が形成されないように隣接する前記支柱と連結されていることを特徴とする。
【請求項７】
請求項３記載の液晶表示素子であって、
前記支柱は略ハニカム構造体であって、前記略ハニカム構造体を形成する複数の辺は開口部を有することを特徴とする。
【発明の詳細な説明】
【技術分野】
【０００１】
本発明は、液晶材料として分子配向状態がコレステリック相の液晶（コレステリック液晶）を用いる液晶表示素子に係り、特に物理的な耐久性に優れた液晶表示素子に関する。
【背景技術】
【０００２】
近年、接触型ＩＣカードやバーコード等が利用されている物流等の産業分野において、耐久性と利便性を兼ね備えた非接触型のＩＣカードやＲＦタグ等のＲＦＩＤ(Radio Frequency Identification)が普及し始めている。今後、電子マネー等の新たな応用分野も開拓され、外部装置と無線通信を行うカードやタグが、益々、普及することが予想される。【０００３】
ＩＣカードは、情報記録に優れているが、記録内容を専用の装置で読み取るまで確認できないという問題を有している。ポイントカードや交通分野で利用される回数券カードでは、記録内容を視認できることが望まれているからである。従来の接触型のＩＣカードでは、磁気フレークを用いた表示や、ロイコ染料を用いた熱書込みによる視認可能な媒体を利用した表示などが提案されていた。このような接触型ＩＣカードは、ＩＣカードを挿入する専用装置を必要とし、その専用装置内には磁気ヘッドや熱ヘッドを備えた表示書込み装置が内蔵される。しかしながら、今後普及が予想される非接触型のＩＣカードやＲＦタグでは、接触型ＩＣカード用の専用装置が備える書込みヘッドを搭載することはできない。このため、無線で供給される電気信号を利用して表示させなければならず、電気駆動可能な液晶方式や電気泳動方式などによる表示が必要となる。【０００４】
表示素子を備えたＩＣカードやＲＦタグに関する文献としては、下記の日本特許庁に出願された特許文献１や特許文献２がある。
【特許文献１】実公平−３０３８４号公報
【特許文献２】特開平２００２−２３６８９１号公報
【０００５】
特許文献１の３頁６列３７行目には、非接触型のＩＣカードやＲＦタグを想定する記載もある。非接触型ＩＣカードの構造については、特許文献２で詳しく述べられている。特許文献１や特許文献２には、液晶表示素子が表示素子の一つの候補として提案されている。非接触型のＩＣカードの表示素子として液晶表示素子を用いる場合、その液晶材料の候補としては、電源を切断しても表示を保持する強誘電性液晶やコレステリック液晶が想定される。コレステリック液晶はカイラネマティック液晶と呼ばれることもある。【０００６】
従来、液晶表示素子がＩＣカードやＲＦタグの表示素子として実現に至らなかった理由は、その物理的な耐久性にあった。ＩＣカードにおいては、ＪＩＳで規格されている曲げ耐性や環境試験等の条件を満足しないと表示素子として採用することはできず、一般的な液晶表示素子ではそれらの条件を満足することはできなかったからである。【０００７】
例えば、ＩＣカードにおいては、その本体の長辺が８５mmの場合、その中心を２cm曲げる操作を５００回以上繰り返す耐久試験を行っても、ＩＣカードが壊れないことが要求されている。従来の液晶表示素子では、基板の破損や、液晶分子の配向の乱れ、シール材の剥がれ等により、その耐久試験を満足することはできなかった。【０００８】
接触型またはハイブリッド型（接触と非接触の両機能を有する型）のＩＣカードでは、読み取り装置に挿入する際に、カード表面に搬送ローラから強い圧力（ローラ圧）が加わる。従来の液晶表示素子では、このローラ圧によって液晶が一方に寄せられて、エッジ部でシールが破壊され、液晶が漏れ出し、液晶表示素子としての機能が失われてしまう。【０００９】
そこで、本出願人は、特許文献３（特願平１５−９９８６４６号）で、上記ＪＩＳ規格を満足でき、規格厚（0.76mm）のＩＣカードにも搭載可能なコレステリック液晶を用いた薄型素子構造の液晶表示素子を提案した。ところで、特許文献４（特開２００２−３２８３７４号公報）には、反強誘電性液晶を用いて耐久性を向上させた液晶表示素子の構造について提案されている。しかしながら、反強誘電性液晶は、原理的に、配向維持が難しく、耐衝撃性が弱いため、ＩＣカードに適用できない。また、偏光板を用いる必要があるので、規格厚（0．76ｍｍ）のＩＣカードへの搭載は困難である。【００１０】
上記特許文献３で提案した液晶表示素子は、ＪＩＳ規格の耐久性を満足できたが、さらなる問題を解決することはできなかった。この問題とは、コレステリック液晶が有する問題であり、液晶表示素子の表示面を指で押すまたは摘むなどの操作により、液晶表示素子が反ったり、捻られたりすることによってコレステリック液晶に加わる力によって、表示状態が変化してしまうという問題である。尚、コレステリック液晶は、再度、表示駆動を行うことによって元の状態に戻る性質を有することも知られている。【００１１】
ＩＣカードの実用化を考慮した場合、ＩＣカードの表示が指の力（押圧力）くらいで変化してしまうのは大きな問題であり、再駆動によって表示状態を復元できるようにしたとしても、ユーザーにとっては利便性の悪いものとなる。本出願人は特許文献３の液晶表示素子について実証試験を試みた。そして、その結果、この液晶表示素子の構造では、指の押圧力（指圧）で表示が変化してしまうことが判明された。【００１２】
図１は、特許文献３で提案された液晶表示素子の全体構造を示す概略図であり、図2はその液晶表示素子の分解図である。また、図3はその液晶表示素子内部に設けられた壁面構造体（壁面材）及び表示部の水平方向の断面図である。また、図４は、特許文献４に開示されている液晶表示素子の液晶セル及び隔壁を含む層に平行な方向での断面の一部を示す図である。【００１３】
特許文献３で提案された液晶表示素子は、セグメント基板１とコモン基板２の間に、壁面構造体３、表示部４、及び遮光マスク５等が挟まれた構造になっている。
図２に示すように、壁面構造体３と表示部４はコモン基板２と遮光マスク５との間に設けられる。この壁面構造体３と表示部４を有する層の厚さは数μｍである。図２の例では、表示部４は４個のセグメントブロック４ａから構成されている。以下では、便宜上、壁面構造体３と表示部４を有する層を液晶セル層１０と呼ぶことにする。【００１４】
液晶セル層１０は、厳密には、壁面構造体３と表示部４以外に、液晶注入経路１１とバッファ部１２を有している。液晶注入経路１１は、液晶セルである表示部４に液晶を注入するために設けられた通路であり、隣接するセグメントブロック４ａ間、初段のセグメントブロック４ａの左側に設けられている。この液晶注入経路１１の形状は、直線となっている。液晶セル層１０における液晶の注入は、初段のセグメントブロック４ａの左端に接続する液晶注入経路１１の左端部１１ａからなされる。注入された液晶は、液晶注入経路１１及びセグメントブロック４ａを介しながら最終段のセグメントブロック４ａに注入される。最終段のセグメントブロック４ａの右端に接続するバッファ部１２は、液晶を真空注入する際に流入する余分な空気を封入するために設けられている。構造上、バッファ部１２にも液晶は注入されることになる。【００１５】
壁面構造体３の上部には遮光マスク（遮光膜）５が設けられる。遮光マスク５は、液晶セル層１０におけるセグメント表示に不要な液晶注入領域（液晶注入経路１１及びバッファ部１２）が表示領域として機能するのを防止するためのマスクであり、セグメント基板１上に形成される。遮光マスク５は、表示部４のセグメントパターンに対応した形状の光透過部５ａを有している。この光透過部５ａの幅は、位置合わせマージンや視認性を考慮して表示部４のセグメントブロック４ａの幅よりも小さくなっている。この遮光マスク５の遮光作用により、表示部４は視認性とコントラストに優れたセグメント表示を行うことができる。【００１６】
図4は、特許文献４で提案されている液晶表示装置の液晶層の水平方向断面図である。同図において、白抜き部分は液晶セルが設けられた部分に対応する表示部（セグメント）２０または液晶注入経路２８である。特許文献４では、個々のセグメントを表示部（または、液晶セル）と表現している。液晶注入経路２８は6本の平行な細線で示されており、表示部２０はその細線よりも幅が太い矩形または略矩形で示されている。液晶注入経路２８の左端は液晶注入部２９となっている。表示部２０には、液晶注入部２９及び液晶注入経路２８を介して反強誘電性液晶が注入される。また、黒塗り部分は隔壁２７となっている。【００１７】
このように、特許文献３の液晶表示素子と特許文献４の液晶表示装置は共に似たような構造となっており、特許文献３の液晶表示素子と特許文献４の液晶表示装置との構成上の主な違いは、使用される液晶材料が異なる点である。特許文献３の液晶表示素子ではコレステリック液晶が使用され、特許文献４の液晶表示装置では反強誘電性液晶が使用されている。【００１８】
上述した特許文献３の液晶表示素子と特許文献４の液晶表示装置のいずれにおいても、表示面への指圧や素子（装置）の曲がりなどによって表示状態が変化してしまうという問題点を有している。
【発明の開示】
【００１９】
本発明の第１の目的は、表示面が指やペン先等で押されても、表示状態の変化を防止できるコレステリック液晶表示素子を提供することである。本発明の第２の目的は、素子が反ったり、捻られたりしても、表示状態の変化を防止できるコレステリック液晶表示素子を提供することである。
【００２０】
本発明の液晶表示素子の第一態様は、対向する基板と、それらの基板間に設けられた壁面構造体と、該壁面構造体に側面が囲まれた複数のセグメントで構成される複数のセグメントブロックと、該セグメントブロック間を連結している前記壁面構造体に側面が囲まれた液晶注入経路を有するコレステリック液晶を用いた液晶表示素子を前提とする。そして、液晶の液晶注入経路が１つのみ連結されたセグメントを少なくとも１つ以上備えたセグメントブロックを複数備えていることを特徴とする。
【００２１】
このように、各セグメントブロックにおいて液晶の流出口を有しないセグメントを少なくとも１つ以上備えたことにより、外部から与えられる等分布荷重における耐性を向上させることが可能となり、指等で表示面を押圧された場合に表示状態の変化を防止できる。
【００２２】
本発明の第二態様の液晶表示素子は、上記第一態様の液晶表示素子において、前記セグメント内部に前記対向する基板を保持する支柱を設けるようにしたことを特徴とする。
このように、セグメント内部に支柱を設けたことにより、外部から加わる集中荷重に対するセグメントの耐性を向上させることが可能となり、ペンの先端や爪のような先鋭なもので表面を押圧された場合でもセグメントの表示変化を防止できるようになる。
【００２３】
本発明の第三態様の液晶表示素子は、対向する基板と、それらの基板間に設けられた壁面構造体と、該壁面構造体に側面が囲まれた複数のセグメントで構成される複数のセグメントブロックを有するコレステリック液晶を用いた液晶表示素子を前提とし、各セグメントブロックは、他のセグメントブロックと連結されていないことを特徴とする。
【００２４】
このように、各セグメントが液晶の流路で連結されていなので、外部から与えられる等分布荷重に対する耐性を、上記第一態様の液晶表示素子よりもさらに向上させることができる。
【００２５】
本発明の第四態様の液晶表示素子は、上記第三態様の液晶表示素子において、
前記セグメント内部に前記対向する基板を保持する支柱を設けるようにしたことを特徴とする。
【００２６】
このように、セグメント内部に支柱を設けたことにより、上記第二態様の液晶表示素子と同様な作用により、外部から加わる集中荷重に対するセグメントの耐性を向上でき、表面の一部に集中的に押圧が加わった場合でもセグメントの表示変化を防止できる。
【図面の簡単な説明】
【００２７】
【図１】従来のコレステリック液晶表示素子の全体構造を示す図である。
【図２】上記従来のコレステリック液晶表示素子の要部を示す分解図である。
【図３】上記従来のコレステリック液晶表示素子における液晶セル層の水平断面図である。
【図４】従来の反強誘電性液晶表示素子における液晶セル層の水平断面図である。
【図５】従来の液晶セル層の押圧による表示状態の変化部分を示す図である。
【図６】従来の他構造をした液晶セル層の押圧による表示状態の変化部分を示す図である。
【図７】本発明の各実施例の液晶表示素子における耐荷重効果を示す図である。
【図８】実施例１の液晶表示素子における液晶セル層の水平断面図である。
【図９】実施例１の液晶表示素子の製造プロセスを示す図である。
【図１０】実施例２の液晶表示素子における液晶セル層の水平断面図である。
【図１１】実施例３の液晶表示素子における液晶セル層の水平断面図である。
【図１２】セグメントに集中荷重が加わったときのセグメントの変形の様子を示す図である。
【図１３】実施例４の液晶表示素子におけるセグメントの構造を示す立体斜視図である。
【図１４】実施例４の液晶表示素子におけるセグメントの水平断面図である。
【図１５】実施例４の液晶表示素子の垂直断面図である。
【図１６】実施例５の液晶表示素子におけるセグメントの水平断面図である。
【図１７】実施例６の液晶表示素子におけるセグメントの水平断面図である。
【図１８】実施例７の液晶表示素子におけるセグメントの水平断面図である。
【図１９】実施例８の液晶表示素子におけるセグメントの水平断面図である。
【発明を実施するための最良の形態】
【００２８】
特許文献３で示されるようなコレステリック液晶表示素子の表示状態が表示面への押圧力で変化するメカニズムを、実験で究明した。このメカニズムを図５と図６を参照しながら説明する。【００２９】
図５及び図６は、壁面構造体の上面図を示す図であり、図５に示す壁面構造体と図６に示す壁面構造体は形状が異なっている。
図５に示す壁面構造体３０は、８の字の形状をした４つのセグメント３１が直線形状の液晶注入経路３２で連結されている。初段のセグメント３１（３１−１）の左端中央は液晶注入経路３２（３２−１）と連結されており、その液晶注入経路３２−１の左端が液晶注注入口３４となっている。また、最終段のセグメント３１（３１−４）の右端中央には、直線形状の空気封入部３３が連結されている。【００３０】
図６に示す壁面構造体４０は、４個のセグメント４１がジグザク状に液晶注入経路４２で連結されている。初段と第２段のセグメント４１間は上半分の中央部同士が、第２段と第３段のセグメント４１間は下半分の中央部同士が、第３段と第4段のセグメント４１間は上半分の中央部同士が、直線形状の液晶注入経路４２で結ばれている。【００３１】
［実験１］
図５に示す壁面構造体３０に液晶注入経路３２−１からコレステリック液晶を注入してフィルム基板のコレステリック液晶表示素子（不図示）を作製した。このコレステリック液晶表示素子の表示面を指で押すと、図５の破線パターン３６で示された部分の表示状態が容易に変化した。また、上記コレステリック液晶表示素子を長手方向に曲げて反りを与えたところ、指で押圧したと同様に表示面の破線パターン３６が示す部分で表示状態が容易に変化した。【００３２】
［実験２］
図６に示す壁面構造体４０に液晶注入経路４２（４２−１）からコレステリック液晶を注入してフィルム基板のコレステリック液晶表示素子（不図示）を作製した。このコレステリック液晶表示素子の表示面を指で押すと、図６の破線パターン４６で示された部分の表示状態が容易に変化した。また、上記コレステリック液晶表示素子を長手方向に曲げて反りを与えたところ、指で押圧した場合と比較すると表示状態の変化は緩やかではあったが、やはり破線パターン４６で示された部分で表示状態に変化が見られた。【００３３】
コレステリック液晶は、液晶分子が螺旋状の相を有する液晶であり、その螺旋構造の変化の向きに応じて、特定の波長の光を反射（選択反射）するプレーナ状態と透明なフォーカルコニック状態の２種類の状態をとる双安定性の液晶として知られている。プレーナ状態では、基板面に対して螺旋軸が垂直となり、液晶分子は平行となる。フォーカルコニック状態では、螺旋軸が基板面に対して平行となり、液晶分子は微小ドメインを形成する。コレステリック液晶表示素子は、これら２つの状態を利用して表示を行う。【００３４】
実験１、２で発見された表示面への圧力や素子の反りによる表示状態の変化は、コレステリック液晶がフォーカルコニック状態からプレーナ状態に変化したことに起因している。これは、セグメント（以下、液晶セルと表現する場合もある）内部の液晶が流動し、基板の界面に液晶分子が引きずられ、液晶分子が基板に平行な状態となって、プレーナ状態に変化してしまうためであると考えられる。図５と図６において破線パターンで示されている表示状態の変化位置は、構造上、液晶セル内部の圧力変化で液晶が流れやすいところである。また、液晶セルの厚み（セルギャップ）が３μmと５μmの場合を比較すると、セルギャの薄い３μmの方が表示状態の変化は顕著であった。これは、３μmの方が相対的に基板の界面付近の液晶が多いため，基板の界面の影響を受け易いためと考えられる。【００３５】
以上のような考察により、液晶セル内部の液晶の流動性が抑制されるように壁面構造体を形成することにより、液晶表示素子の表示面に対する押圧や液晶表示素子の曲げなどによる表示状態の変化を防止できることを突き止めた。【００３６】
液晶表示素子の表面を押圧したときに加わる荷重には、「等分布荷重」と「集中荷重」の２種類がある。等分布荷重は、指などのように表面積が比較的大きいもので押圧された場合に生じる荷重であり、その荷重は押圧部を中心にして一様に分布する。集中荷重は、例えば、ボールペンの先端や指の爪などのように表面積が小さいもので押圧された場合に生じる荷重であり、その荷重は押圧部に集中し周囲にはあまり分散しない。【００３７】
以下に述べる実施例では、まず、等分布荷重による表示状態の変化に対処する実施例について述べ、次に、集中荷重による表示状態の変化に対処する実施例について述べる。
いずれの実施例も、その全体構成（各構成要素の配置）は、図１乃至図３に示された特許文献３で提案されている液晶表示素子と同様である。両者の本質的な違いは、液晶セル層の構造にある。本発明では、壁面構造体の構造（換言すれば、表示部並びに液晶注入経路のパターン形状）や壁面構造におけるセグメント（液晶セル）内部の構造を工夫することによって、従来の液晶表示素子よりも等分布荷重や集中荷重に対する強度を高めている。【００３８】
図７は、本発明の実施例の液晶表示素子における耐荷重効果を示すグラフである。
このグラフは、液晶表示素子の表示面を人が指で押圧したような，その表示面に加わる「等分布荷重」による表示変化を示すもので、横軸が従来の液晶表示素子と本発明の各実施例の液晶表示素子、縦軸がそれらの「耐荷重（kgf/cm２）」となっている。耐荷重は、液晶表示素子の表示面を人が指で押圧したときに、その液晶表示素子が表示変化に耐えうる最大の指の押圧力（以下、指圧力と表現）を示すものである。【００３９】
同グラフの破線の横線５１は、液晶表示素子をＩＣカードの表示素子として実装した場合における耐荷重の最低限の目標値であり、5.3kgf/cm２となっている。この目標値は、実験に参加してもらった数十名の人の指圧力に対する測定結果から統計的に導き出した値であり、人の平均的な指圧力とみなすことができる。【００４０】
図３の液晶セルを有する従来構造の液晶表示素子では、コレステリック液晶（以下、単に液晶と表現）の厚みが５μmの場合の耐荷重は1.6kgf/cm２であった。また、液晶の厚みを３μmにした場合には1.3kgf/cm２と減少した。このように、従来構造の液晶表示素子では、とても人の指圧力に耐えることができない。【００４１】
液晶表示素子の表示変化の一因は液晶セルの変形によるその内部のコレステリック液晶の流出（液晶の流動性）にあるので、壁面構造体の硬度を高めることにより押圧に対する液晶セルの変形強度を高め、押圧による表示変化を防止できる。そこで、壁面構造体の材料を再検討し、接着硬化後の壁面構造体をより硬い材料とした。壁面構造体は高分子材料であるので、分子量が大きく、架橋密度が大きい材料ほど硬くなる傾向がある。液晶の厚みが３μmの従来構造の液晶表示素子にこの方法を適用し、壁面構造体を硬い壁面構造としたところ、その耐荷重は2.7kgf/cm２まで増加した。【００４２】
このように、従来構造の液晶表示素子では、高分子材料である壁面構造体の硬度を高めても、その耐荷重は目標値には及ばない。そこで、本発明の実施例では、壁面構造体のパターン形状を従来と変えることによって、液晶セル内部での液晶の流れを抑制できるように工夫した。実施例で着目したのは、「液晶注入経路の形状」と「セグメントブロックの各セグメントの構造」である。【００４３】
以下に述べる実施例は、本発明を表示部の各桁の数字表示部（以下、セグメントブロックと表現）が７個のセグメントで構成される液晶表示素子に適用したものである。
［実施例１］
図８は、本発明の実施例１の液晶表示素子における液晶セル層の部分的な水平断面図である。【００４４】
液晶表示素子の表示面を指で押した場合にその表示面に加わる荷重は、等分布荷重と呼ばれる。この等分布荷重の大きさにより実施例１の液晶セル６０では、「液晶注入経路の形状」に着目し、セグメントブロック６１間を連結する液晶注入経路６２を鍵型Ｓ字構造にした。また、セグメントブロック６１内においても、上部側と下部側の対向する2組の左右のセグメント６３同士を鍵型Ｓ字構造の液晶注入経路６４で連結し、該液晶注入経路６４と上部、中央部及び下部の各セグメント６３を該液晶注入経路６４から縦方向に枝分かれした直線の液晶注入経路６５で連結した。このように、液晶注入経路６２、６４は、コーナーがあると流体が流れにくくなる性質を利用した構造となっている。従って、液晶注入経路６４は途中にコーナーを有する構造であればよく、鍵型Ｓ字構造に限るものではない。【００４５】
図３に示すように、従来の液晶表示素子ではセグメントブロック４ａは複数のセグメントに分割されてはいないが、本実施例では、「セグメントの構造」に着目し、セグメントブロック６１を７個のセグメント６３に分割すると共に、各セグメント６３の液晶注入口（以下、単に注入口と記載）を１つにした。このような構造にすることにより、液晶注出口（以下、単に注出口と記載）が無いセグメント６３の個数を多くすることができる。これらのセグメント６３は、注出口が無いので内部に充填された液晶の流動性は減少するはずである。実施例１の液晶表示素子では、上部、中央部及び下部のセグメント６３が注入口だけを有する注出口の無いセグメントとなっている。換言すれば、それら3個のセグメント６３は、注入口となる液晶注入経路６４とのみ接続され、液晶の注出口となる液晶注入経路６４とは接続されない構造となっている。【００４６】
図７に、上記構造の実施例１の液晶表示素子における耐荷重の増加効果を示す。
同図において（３）を付与した菱形で示すように、実施例１の液晶表示素子の耐荷重は9.33kgf/cm２まで向上した。また、構造図を示してはいないが、注出口が無いセグメントが各セグメントブロック内に１つだけある液晶表示素子の耐荷重は5.6kgf/cm２であった。このことから、注出口の無いセグメントの個数によって、耐荷重が変化することが判明した。【００４７】
図９は、実施例１の液晶表示素子の製造方法を説明する図である。
実施例１の液晶表示素子の製造プロセスは、特許文献３の液晶表示素子とほぼ同様であり、異なるのは液晶セル層の形成工程（壁面構造体の形成工程）のみである。したがって、ここでは、簡単に説明する。【００４８】
（１）まず、セグメントパターンの透明電極を形成したフィルム基板（セグメント基板）７１の表面に、セグメントパターンの遮光マスク（遮光膜）７２を形成する。
（２）次に、遮光マスク７２の上に、液晶注入経路を考慮した液晶セル層となる接着性のある壁面構造体７３をフォトリソグラフィ等により形成する。壁面構造体の厚さが、ほぼ液晶セル層における液晶の厚さとなる。【００４９】
（３）ベタ状の共通電極７４ａが形成されているコモン基板７４の上に光吸収層７５を形成する。光吸収層７５は、コレステリック液晶の透明状態を黒表示とするために必要である。この光吸収層７５は、コモン基板７４の内側または外側のいずれに形成してもよい。または、光吸収性を備えた材料で共通電極７４ａを形成するようにしてもよい（この場合、光吸収層を形成する工程は不要となる）。【００５０】
（４）以上のようにして、それぞれ個別に形成したセグメント基板７６とコモン基板７７を加熱処理により張り合わせる。
（５）液晶セル層７７の液晶注入口から液晶を注入し、液晶注入経路６２、６４を介して全てのセグメント６３に液晶を注入・充填する。この液晶注入は、例えば、真空注入法で行うことができる。【００５１】
図９に示す液晶表示素子７０では、コモン基板７７の共通電極７４ａをセグメント基板７６から引き出すため、導電性の接着材等を用いて、コモン基板７７の共通電極７４ａをセグメント基板７６のトランスファー電極７１ａと通電させている。また、壁面構造体７３自体が接着性を備えているが、一般的な液晶構造のシール材を液晶表示素子の外周部に設けてもよい。【００５２】
偏光板を使用しないコレステリック液晶表示素子では、液晶注入経路に液晶が残るため、この液晶注入経路内の液晶を隠蔽するために遮光マスクが必要となる（上記工程（１）参照）。【００５３】
ところで、図４に示す反強誘電性液晶の液晶表示装置の場合は、最終段セグメントブロックの一部のセグメント（右半分の上部、中央部、下部、及び右端の上下のセグメント）のみ注出口が無いが、その他のセグメントブロックの全セグメントには注入口と注出口がある。したがって、この液晶表示装置をコレステリック液晶の液晶表示装置に用いたとしても、その表示面に押圧が加わった場合、セグメント内部の液晶の流動性が減少すること（換言すれば、耐荷重の向上）を期待することはできない。【００５４】
このように、実施例1の液晶表示素子で、耐荷重の目標値を超える構造を実現したが、耐荷重が大きいほどICカードの利便性は向上する。すなわち、どんな状況で使用されても、ICカードの表示が変化しない方が望ましい。そこで、実施例１の構造をさらに発展させ、以下に述べるような、各セグメントブロック内の各セグメントが、全て注入口が１つである壁面構造の液晶セル層を有する液晶表示素子を考案した。
［実施例２］
図１０は、上記考案に基づく本発明の実施例２の液晶表示素子における液晶セルの部分的な水平断面図である。【００５５】
同図に示す実施例２の液晶表示素子における液晶セル層８０では、横方向に連結されたセグメントブロック８１の列の上方と下方に、それぞれ、セグメントブロック８１の列と平行に、直線形状の共通液晶注入経路８５，８６を設けている。各セグメントブロック８１の上半分の各セグメント８３には、共通液晶注入経路８５から枝分かれした液晶注入経路８２を介して液晶が注入される構造となっており、下半分の各セグメント８３には、共通液晶注入経路８６から枝分かれした液晶注入経路８２を介して液晶が注入される構造となっている。液晶注入経路８２は、直線、「略柄杓形」または「階段」の形状をしており、後者２つの液晶注入経路８２はいずれもコーナー部を有する形状となっている。【００５６】
このような構造のため、各セグメントブロック８１内の各セグメント８３は注入口が１つだけである。また、共通液晶注入経路８５、８６を介して全てのセグメントブロック８１が連結される構造となっているため、各セグメント８３には注出口は存在しない。【００５７】
このように、実施例２の液晶表示素子は、液晶セル８０内の全てのセグメント８３が注出口の無い構造となっているため、その耐荷重は実施例１の液晶表示素子よりも更に向上する。
［実施例３］
図１１は、本発明の実施例３の液晶表示素子における液晶セル層の部分的な水平断面図である。【００５８】
同図に示すように、実施例３の液晶表示素子の液晶セル層９０においては、全てのセグメントブロック９１の全セグメント９３が独立しており、それらのセグメント９３には注入口も注出口も無い。従って、液晶注入経路も存在しない。このため、実施例３の液晶表示素子の耐荷重は、実施例２の液晶表示素子よりも更に向上する。【００５９】
実施例３の液晶表示素子における液晶セル層９０の構造の作製には、液晶パネルの製造プロセスでは一般的な真空注入法を利用できない。しかし、例えば、以下のようなプロセスで作製可能である。【００６０】
（１）壁面構造体をセグメント部のみ凹部とする。
（２）凹部に液晶（コレステリック液晶）を滴下し、凹部を液晶で満たす。
（３）対向する２つの基板（コモン基板とセグメント基板）を貼り合わせる。【００６１】
上記（２）、（３）の工程で液晶に気泡が入る可能性があるので、液晶の滴下及び対向基板の貼り合わせは真空中で実施することが望ましい。
上記実施例１〜３の液晶表示素子は、液晶表示素子の表示面に対する指などの押圧力によって発生する等分布荷重の耐荷重の向上を図ったものである。ＩＣカードの場合、指以外にボールペンの先や指の爪でＩＣカードの表示部を押すような事態も想定される。この場合、表示部には集中荷重的な圧力が加わり、液晶表示に変化が生じる。ＩＣカードの利便性を向上させるには、この集中荷重による表示変化も抑制する必要がある。【００６２】
集中荷重においては、微小領域に圧力が集中するため、個々のセグメントのみに圧力が加わることが多い。セグメントは液晶で満たされているため、セグメントへの集中荷重により、セグメント内の液晶が容易に流動してしまう。特に、フィルム基板ではこの傾向が顕著である。【００６３】
図１２は、集中荷重の押圧が加わった場合に生じるセグメントの変形の様子を示す図である。
セグメント１００は、コモン基板１０５上に形成された対向電極（共通電極）１０４とセグメント基板１０１上に形成されたセグメント電極１０７とにより上面と下面を囲まれ、接着性の壁面構造体１０３により左右の側面を囲まれた構造となっている。また、接着性の壁面構造体１０３の上面には遮光マスク１０２が設けられている。この遮光マスク１０２は、セグメント基板１０１と接着性の壁面構造体１０３とにより挟持されている。【００６４】
セグメント１００の中央部の上方に位置するセグメント基板１０１の一部に図中で矢印１０８示す方向の押圧力が加わると、セグメント基板１０１の押圧部分を中心とする周囲が押圧方向に窪み、それに伴い、セグメント１００内の液晶はセグメント電極１０７から押圧され、セグメント１００に変形が生じる。横幅が0.4ｍｍのセグメント１００を試作して、そのセグメント１００の集中荷重に対する耐荷重を調べたところ、従来構造のセグメント１００の耐荷重は0.6kgf/cm２であった。このように、従来構造のセグメント１００は、集中荷重に対して非常に弱く0.6kgf/cm２程度の押圧で表示が変化していた。【００６５】
そこで、セグメントの耐集中荷重を向上させるために、壁面構造のセグメント内部にも接着性の支柱（接着性支柱）を形成することを考案した。この接着性支柱は、セグメントの側面を囲む壁面構造体と同様に、対向する基板を保持するようになっている。したがって、セグメント内部の液晶に加わる押圧を緩和するように機能する。
［実施例４］
図１３は、上記考案に基づく本発明の実施例４の液晶表示素子におけるセグメントの水平断面図である。また、図１４は、そのセグメントを表示面側から見た場合の平面図である。【００６６】
図１３及び図１４に示すように、実施例４の液晶表示素子のセグメント１１０においては、円柱形状の接着性支柱（以下、単に支柱と記載）１１１を等間隔で列状に配置している。【００６７】
図１５に、このセグメント１１０の垂直断面図を示す。同図において、図１２の従来構造のセグメント１００が有する構成要素と同一の構成要素には同じ符号を付与している。
図１５に示すように、セグメント１１０内部には、支柱１１１が等間隔で配置される。このように、セグメント１００内部に硬い支柱１１１を等間隔に設けることで、集中荷重的な押圧が加わった場合でもセグメント１１０の変形を抑制し、セグメント１１０の集中荷重に対する表示変化防止を強度なものとすることができる。【００６８】
実際、直径0.03ｍｍの円柱上の支柱１１１を、セグメント１００内部に図１３に示すような配置パターンで形成した結果、図７のグラフにおいて（４）で示すように、耐集中荷重は3.5kgf/cm２と約５.５倍も向上した。【００６９】
この支柱１１１の材料は壁面構造体１１３と同じ材料でよいので、その形成は壁面構造体１１３と同一工程で作製できる。例えば、フォトリソグラフィで壁面構造体１１３を形成するのであれば、壁面構造体１１３のパターンに支柱１１１のパターンを加えたフォトマスクを作製すればよい。【００７０】
ところで、図７の（４）に示すように、実施例４の液晶表示素子においては、等分布荷重に対する耐荷重は従来構造の液晶表示素子とほぼ同じであり、等分布荷重に関しては耐性効果がほとんど無かった。そこで、集中荷重の耐性を向上させると共に、等分布荷重の耐性も向上させる更なる構造を考案した。
［実施例５］
図１６は、本発明の実施例５の液晶表示素子におけるセグメント内部での支柱の形状並びに配置パターンを示す水平断面図である。【００７１】
実施例５では、支柱１２１を断面が十字形状の立体にし、この支柱１２１をセグメント１２０内部に等間隔で格子状に配置した。支柱１２１の断面を十字形状にしたため、液晶の流路は十字間の隙間に制限され、その流動性は大きく制限されることになる。このため、集中荷重と等分布荷重の双方の耐性が向上する。
［実施例６］
図１７は、本発明の実施例６の液晶表示素子におけるセグメントでの支柱の形状及び配置パターンを示す水平断面図である。【００７２】
セグメント１３０の内部には、略ハニカム構造の支柱１３１が形成される。このように略ハニカム構造の支柱１３１を設けた場合、セグメント１３０は集中荷重において最も耐性が向上する。さらに、本ハニカム構造においては、正六角形の一辺に開口部１３３を設けているのが特徴である。
［実施例７］
図示してはいないが、本発明の実施例７の液晶表示素子として、図１７で示す略ハニカム構造と図１０に示す全てのセグメントが注出口を有しない構造とを兼ね備えた液晶表示素子を作製した。その結果、この液晶表示素子の等分布荷重の耐性は、図７のグラフにおいて（５）で示すように18.7kgf/cm２となり、図７のグラフで（１）で示された従来構造の液晶表示素子の耐荷重（＝1.3kgf/cm２）の１０倍以上となった。また、集中荷重の耐荷重も12.7kgf/cm２となり、従来構造の液晶表示素子の耐荷重（＝0.6kgf/cm２）の実に２０倍以上にもなった。【００７３】
ところで、図１６と図１７に示す実施例６、７の液晶表示素子におけるセグメントの支柱構造においては、液晶の入り込む開口部が多数ある。しかしながら、液晶の入り込む開口部は最低２つあればよい。
［実施例８］
図１８は、本発明の実施例８の液晶表示素子におけるセグメントの水平断面図である。【００７４】
同図に示すセグメント１４０は、図１６に示すセグメント１２０を変形したものであり、セグメント１２０内の隣接する２つの支柱１２１の一方の支柱１２１の左辺と他方支柱１２１の右辺が連結された支柱１４１を有している。このように、セグメント１４０は、セグメント１２０内では隣接関係にあった支柱１２１同士を連結した構造となっているので、セグメント１２０よりも開口部の数が大幅に減っている。支柱１２１の連結は、セグメント１４０内部に閉領域が形成されないようにして実施されている。これは、セグメント１４０内の支柱１４１以外の領域全体に液晶が注入されるようにするためである。以上のような構造により、実施例８の液晶表示素子は、実施例６の液晶表示素子よりも等分布荷重における耐性が向上する。また、セグメント断面での全体面積に対する支柱の面積比がセグメント１２０よりも大きくなるため、集中荷重における耐性も実施例６の液晶表示素子よりも向上する。
［実施例９］
図１９は、本発明の実施例９の液晶表示素子におけるセグメントの水平断面図である。【００７５】
同図に示すセグメント１５０は、図１７に示す略ハニカム構造のセグメント１３０を変形したものであり、正六角形の２辺だけに開口部１５３を設けるようにしている。このため、セグメント内部からの液晶の外部への流動がセグメント１３０よりも制限され、実施例９の液晶表示素子は実施例７の液晶表示素子よりも等分布荷重の耐性が向上する。また、セグメント断面内の支柱の占有面積がセグメント１３０よりも大きくなるので、集中荷重の耐性も実施例７の液晶表示素子よりも向上する。【００７６】
また、図１１のような液晶注入経路が無い構造のセグメントであっても、セグメント内部に支柱を形成することは可能であり、そのようなセグメント内に支柱を形成することにより集中荷重並びに等分布荷重の耐性の向上が期待できる。【００７７】
ところで、開口部が少ないほど、液晶の注入時間が長くなることが予想されるが、液晶注入時に液晶の温度を上昇させて液晶の粘度を低下させれば、プロセス的に問題とならない時間で液晶表示素子を作製することが可能である。【００７８】
以上、説明したように本発明の実施形態によれば、双安定性を備えたコレステリック液晶表示素子に特有の課題であった、表示面への押圧による表示状態の変化防止させることができる。また、反りによる変形に強い液晶セルを実現できる。このため、ICカードの表示素子とした場合、利便性に優れた表示機能付きのＩＣカードを提供できる。【００７９】
上記実施例は、本発明をセグメント表示の液晶表示素子に適用したものであるが、本発明はこれに限定されることなく、ドットマトリクス表示の液晶表示素子にも応用可能である。【００８０】
また、さらに、本発明は双安定性に優れたコレステリック液晶表示素子における特有の問題である表示変化を防止する有効な構造であるが、本発明の構造を、他の液晶表示素子の耐久性向上に応用することも可能である。
【産業上の利用可能性】
【００８１】
本発明は、ＩＣカードの表示部以外にも、携帯電話、ＰＤＡ（Personal Data Assistant）などの携帯端末や腕時計など薄型化の要請が強い携帯機器の表示部に好適である。また、タッチパネル方式のディスプレイ、電子ペーパー、自動車の車載パネルなどの様々な電子機器の表示部に適用できる。
【図１】
0004571946.tif 000002
【図２】
0004571946.tif 000003
【図３】
0004571946.tif 000004
【図４】
0004571946.tif 000005
【図５】
0004571946.tif 000006
【図６】
0004571946.tif 000007
【図７】
0004571946.tif 000008
【図８】
0004571946.tif 000009
【図９】
0004571946.tif 000010
【図１０】
0004571946.tif 000011
【図１１】
0004571946.tif 000012
【図１２】
0004571946.tif 000013
【図１３】
0004571946.tif 000014
【図１４】
0004571946.tif 000015
【図１５】
0004571946.tif 000016
【図１６】
0004571946.tif 000017
【図１７】
0004571946.tif 000018
【図１８】
0004571946.tif 000019
【図１９】
0004571946.tif 000020